【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
画情報を蓄積する画情報蓄積手段を備えた画情報蓄積装置であって、
前記画情報蓄積手段によって画情報を蓄積したときのページ数に基づいて該画情報の保存時間が決まるとともに、前記画情報蓄積手段によって蓄積した画情報を該保存時間に基づいて保存するように制御する制御手段を備えたことを特徴とする画情報蓄積装置。
【請求項２】
画情報を蓄積する画情報蓄積手段を備えた画情報蓄積装置であって、
前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御する制御手段を備えたことを特徴とする画情報蓄積装置。
【請求項３】
前記制御手段は、前記保存時間が経過した場合には、前記画情報蓄積手段に蓄積されている画情報を消去することを特徴とする請求項１または２のいずれかに記載の画情報蓄積装置。
【請求項４】
前記画情報の保存延長の指示を促す報知手段をさらに備えたことを特徴とする請求項１乃至３のいずれかに記載の画情報蓄積装置。
【請求項５】
前記画情報の保存延長の指示入力があった場合には、前記画情報の保存を延長することを特徴とする請求項４に記載の画情報蓄積装置。
【請求項６】
前記画情報を送信する送信手段をさらに備えたことを特徴とする請求項１乃至５のいずれかに記載の画情報蓄積装置。
【請求項７】
画情報を蓄積する画情報蓄積手段を備えた画情報蓄積装置の制御方法であって、
前記画情報蓄積手段によって画情報を蓄積したときのページ数に基づいて該画情報の保存時間が決まるとともに、前記画情報蓄積手段によって蓄積した画情報を該保存時間に基づいて保存するように制御することを特徴とする画情報蓄積装置の制御方法。
【請求項８】
画情報を蓄積する画情報蓄積手段を備えた画情報蓄積装置の制御方法であって、
前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御することを特徴とする画情報蓄積装置の制御方法。
【請求項９】
前記保存時間が経過した場合には、前記画情報蓄積手段に蓄積されている画情報を消去することを特徴とする請求項７または８のいずれかに記載の画情報蓄積装置の制御方法。
【請求項１０】
さらに、前記画情報の保存延長の指示を促す報知を行うことを特徴とする請求項７乃至９のいずれかに記載の画情報蓄積装置の制御方法。
【請求項１１】
前記画情報の保存延長の指示入力があった場合には、前記画情報の保存を延長することを特徴とする請求項１０に記載の画情報蓄積装置の制御方法。
【請求項１２】
さらに、前記画情報を送信することを特徴とする請求項７乃至１１のいずれかに記載の画情報蓄積装置の制御方法。
【手続補正２】
【補正対象書類名】明細書
【補正対象項目名】発明の名称
【補正方法】変更
【補正の内容】
【発明の名称】画情報蓄積装置およびその制御方法
【手続補正３】
【補正対象書類名】明細書
【補正対象項目名】０００１
【補正方法】変更
【補正の内容】
【０００１】
本発明は、画情報を蓄積する画情報蓄積手段を備えた画情報蓄積装置およびその制御方法に関する。
【手続補正４】
【補正対象書類名】明細書
【補正対象項目名】０００７
【補正方法】変更
【補正の内容】
【０００７】
本発明は、かかる実情に鑑みてなされたものであり、蓄積した画情報を適切に保存することができる画情報蓄積装置およびその制御方法を提供することを目的としている。
【手続補正５】
【補正対象書類名】明細書
【補正対象項目名】０００８
【補正方法】変更
【補正の内容】
【０００８】
本発明は、画情報を蓄積する画情報蓄積手段を備えた画情報蓄積装置であって、前記画情報蓄積手段によって画情報を蓄積したときのページ数に基づいて該画情報の保存時間が決まるとともに、前記画情報蓄積手段によって蓄積した画情報を該保存時間に基づいて保存するように制御する制御手段を備えたものである。
【手続補正６】
【補正対象書類名】明細書
【補正対象項目名】０００９
【補正方法】変更
【補正の内容】
【０００９】
また、画情報を蓄積する画情報蓄積手段を備えた画情報蓄積装置であって、前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御する制御手段を備えたものである。
【手続補正７】
【補正対象書類名】明細書
【補正対象項目名】００１０
【補正方法】変更
【補正の内容】
【００１０】
また、前記制御手段は、前記保存時間が経過した場合には、前記画情報蓄積手段に蓄積されている画情報を消去するようにしたものである。
【手続補正８】
【補正対象書類名】明細書
【補正対象項目名】００１１
【補正方法】変更
【補正の内容】
【００１１】
また、前記画情報の保存延長の指示を促す報知手段をさらに備えたものである。
【手続補正９】
【補正対象書類名】明細書
【補正対象項目名】００１２
【補正方法】変更
【補正の内容】
【００１２】
また、前記画情報の保存延長の指示入力があった場合には、前記画情報の保存を延長するようにしたものである。
【手続補正１０】
【補正対象書類名】明細書
【補正対象項目名】００１３
【補正方法】変更
【補正の内容】
【００１３】
また、前記画情報を送信する送信手段をさらに備えたものである。
【手続補正１１】
【補正対象書類名】明細書
【補正対象項目名】００１４
【補正方法】変更
【補正の内容】
【００１４】
また、画情報を蓄積する画情報蓄積手段を備えた画情報蓄積装置の制御方法であって、前記画情報蓄積手段によって画情報を蓄積したときのページ数に基づいて該画情報の保存時間が決まるとともに、前記画情報蓄積手段によって蓄積した画情報を該保存時間に基づいて保存するように制御するようにしたものである。
【手続補正１２】
【補正対象書類名】明細書
【補正対象項目名】００１５
【補正方法】変更
【補正の内容】
【００１５】
また、画情報を蓄積する画情報蓄積手段を備えた画情報蓄積装置の制御方法であって、前記画情報蓄積手段によって画情報を蓄積したときの蓄積部の残り容量に基づいて該画情報の保存時間が決まるとともに、前記画情報蓄積手段によって蓄積した画情報を該保存時間に基づいて保存するように制御するようにしたものである。
【手続補正１３】
【補正対象書類名】明細書
【補正対象項目名】００１６
【補正方法】変更
【補正の内容】
【００１６】
また、前記保存時間が経過した場合には、前記画情報蓄積手段に蓄積されている画情報を消去するようにしたものである。
【手続補正１４】
【補正対象書類名】明細書
【補正対象項目名】００１７
【補正方法】変更
【補正の内容】
【００１７】
また、さらに、前記画情報の保存延長の指示を促す報知を行うようにしたものである。
【手続補正１５】
【補正対象書類名】明細書
【補正対象項目名】００１８
【補正方法】変更
【補正の内容】
【００１８】
また、前記画情報の保存延長の指示入力があった場合には、前記画情報の保存を延長するようにしたものである。
【手続補正１６】
【補正対象書類名】明細書
【補正対象項目名】００１９
【補正方法】変更
【補正の内容】
【００１９】
また、さらに、前記画情報を送信するようにしたものである。